(57)【要約】【課題】軽量で容易に取り扱うことができ、大雨時や洪水発生時等において、出入口等の開口部の少なくとも一部を迅速に塞ぐことができる止水パネルを提供すること。【解決手段】止水パネル２０は、パネル本体２１の外縁部に外縁防水シール部材３６，３７，３８を取り付けたものであって、開口部の少なくとも一部を塞ぐために開口部に配置され、開口部の左右の側部と上下部のうち、少なくとも左右の側部と下部とに外縁防水シール部材３６，３７，３８が当接することにより、水が開口部を通過することを阻止する。パネル本体２１の外縁部分は、左右の側部材２２，２３と上部材２４と下部材２５とによる外枠２６で形成され、この外枠２６の内側の空間部は、左右両端部と上端部と下端部とが外枠２６に結合されているシート２７により水密に密閉されて遮断されている。【選択図】図４
2019127764.tif 000002
【特許請求の範囲】
【請求項１】
パネル本体と、このパネル本体の外縁部に取り付けられた外縁防水シール部材とを含んで構成されている止水パネルであって、
開口部の少なくとも一部を塞ぐために前記開口部に配置され、前記開口部の外側を形成している左右の側部と上下部のうち、少なくとも左右の側部と下部とに前記外縁防水シール部材が当接することにより、水が前記開口部を通過することを阻止する止水パネルにおいて、
前記パネル本体は、左右の側部材と、これらの側部材の上端部同士を連結している上部材と、前記左右の側部材の下端部同士を連結している下部材とにより形成されている外枠、及び左右両端部と上端部と下端部とが前記外枠に結合されて、この外枠の内側の空間部を水密に密閉して遮断しているシートを有して構成されていることを特徴とする止水パネル。
【請求項２】
請求項１に記載の止水パネルにおいて、前記シートの強度を補強するための補強用線材を備えていることを特徴とする止水パネル。
【請求項３】
請求項２に記載の止水パネルにおいて、前記補強用線材には、左右方向に延びる横線材と上下方向に延びる縦線材とがあることを特徴とする止水パネル。
【請求項４】
請求項２又は３に記載の止水パネルにおいて、前記シートと前記補強用線材は可撓性を有し、これらのシートと補強用線材はたるみをもって配設されていることを特徴とする止水パネル。
【請求項５】
請求項１〜４のいずれかに記載の止水パネルにおいて、前記外枠の前記下部材は、前記開口部の奥行き方向である前記外枠の厚さ方向の寸法を有し、この寸法は、前記下部材が前記開口部の前記下部の上に載せられることにより前記パネル本体が自立する寸法になっていることを特徴とする止水パネル。
【請求項６】
請求項５に記載の止水パネルにおいて、前記下部材には、前記外枠の厚さ方向の途中部において少なくとも１個の折り畳み部が設けられ、この折り畳み部を中心に前記下部材は折り畳み可能となっていることを特徴とする止水パネル。
【請求項７】
請求項１〜６のいずれかに記載の止水パネルにおいて、前記開口部は、室外と室内との境界部に配置されたドア枠の内側に形成されていて、開き戸により開閉される出入口であり、前記開口部の前記左右の側部と前記下部は、前記ドア枠の左右の側枠部材と下枠部材により形成され、前記外縁防水シール部材は、この外縁防水シール部材の室外側の面が前記外枠に接触することによりこの外枠に取り付けられ、前記外縁防水シール部材の室内側の面が、前記左右の側枠部材と前記下枠部材とに前記開き戸の全閉位置を規定するために設けられている戸当り部に当接して、前記パネル本体が前記出入口に配置されることを特徴する止水パネル。
【請求項８】
請求項１〜７のいずれかに記載の止水パネルにおいて、前記外枠の前記上部材と前記下部材には、左右方向の途中部において少なくとも１個の折り畳み部が設けられ、この折り畳み部を中心に前記上部材と前記下部材は折り畳み可能となっていることを特徴とする止水パネル。
【請求項９】
請求項１〜８のいずれかに記載の止水パネルにおいて、前記開口部は出入口であり、この出入口の下端部からこの出入口の高さの途中までの上下寸法を有していることを特徴とする止水パネル。
【発明の詳細な説明】
【技術分野】
【０００１】
本発明は、大雨時や洪水発生時等において、例えば、出入口等の開口部を水が通過することを阻止するための止水パネルに係り、開き戸や引き戸等で開閉される出入口等の開口部に適用できるものである。
【背景技術】
【０００２】
大雨時や洪水発生時等において、開き戸により開閉される出入口から水が室内に流入することを防止するための止水パネルが下記の特許文献１に示されている。この止水パネルは、パネル本体と、このパネル本体の外縁部に取り付けられた外縁防水シール部材とを含んで構成されているものであって、開き戸により開閉される開口部となっているドア枠の内側の出入口の一部を塞ぐためにこの出入口の下側の部分に配置されるものとなっており、開き戸が閉じられることにより、外縁防水シール部材が、ドア枠の左右の側部と下部を形成している左右の側枠部材と下枠部材に設けられている戸当り部に開き戸の押圧力によって押圧され、これにより、出入口から水が室内に流入することを阻止するようになっている。
【先行技術文献】
【特許文献】
【０００３】
【特許文献１】特開２０１４−２１８７９４号公報
【発明の概要】
【発明が解決しようとする課題】
【０００４】
特許文献１の止水パネルは、外縁防水シール部材が取り付けられているパネル本体を金属や硬質プラスチック等による板状の部材で形成したものとなっており、大雨時や洪水発生時等において、出入口等の開口部の少なくとも一部を止水パネルで塞ぐためには、この塞ぎ作業を迅速に行わなければならないため、止水パネルには、軽量で取り扱いが容易となることが求められる。
【０００５】
本発明の目的は、軽量で容易に取り扱うことができ、大雨時や洪水発生時等において、出入口等の開口部の少なくとも一部を迅速に塞ぐことができる止水パネルを提供するところにある。
【課題を解決するための手段】
【０００６】
本発明に係る止水パネルは、パネル本体と、このパネル本体の外縁部に取り付けられた外縁防水シール部材とを含んで構成されている止水パネルであって、開口部の少なくとも一部を塞ぐために前記開口部に配置され、前記開口部の外側を形成している左右の側部と上下部のうち、少なくとも左右の側部と下部とに前記外縁防水シール部材が当接することにより、水が前記開口部を通過することを阻止する止水パネルにおいて、前記パネル本体は、左右の側部材と、これらの側部材の上端部同士を連結している上部材と、前記左右の側部材の下端部同士を連結している下部材とにより形成されている外枠、及び左右両端部と上端部と下端部とが前記外枠に結合されて、この外枠の内側の空間部を水密に密閉して遮断しているシートを有して構成されていることを特徴とするものである。
【０００７】
このように本発明に係る止水パネルのパネル本体は、左右の側部材と、これらの側部材の上端部同士を連結している上部材と、左右の側部材の下端部同士を連結している下部材とにより外枠が形成されたものとなっており、この外枠の内側の空間部は、左右両端部と上端部と下端部とが外枠に結合されているシートにより水密に密閉されて遮断されているため、止水パネル全体は、シートが用いられていることにより軽量化されており、また、この軽量化により容易に取り扱うことができ、このため、大雨時や洪水発生時等において、開口部の少なくとも一部を塞ぐための作業を迅速に行うことができる。
【０００８】
なお、以上の本発明に係る止水パネルにおいて、水が開口部を通過することを阻止するために、外縁防水シール部材が開口部の外側を形成している左右の側部と上下部のうち、少なくとも左右の側部と下部とに当接することは、水圧により行われてもよく、あるいは、開口部が扉で開閉される出入口等である場合には、扉を閉じることにより行われてもよい。
【０００９】
また、本発明に係る止水パネルを、シートの強度を補強するための補強用線材を備えたものとしてもよい。
【００１０】
これによると、外枠の内側の空間部をシートにより水密に密閉して遮断する構成としても、このシートの強度を補強用線材により補強することができるため、大雨や洪水等による水圧をシートにより充分に受けることができる。
【００１１】
なお、補強用線材は、左右方向に延びる１本又は複数本の横線材だけでもよく、上下方向に延びる１本又は複数本の縦線材だけでもよいが、補強用線材として、それぞれ１本又は複数本とした左右方向に延びる横線材と、上下方向に延びる縦線材とを設けることが好ましい。
【００１２】
これによると、補強用線材によるシートの充分の補強作用により、大雨や洪水等による水圧をシートにより一層充分に受けることができるようになる。
【００１３】
また、シートと補強用線材はパネル本体の外枠に緊張した状態で取り付けてもよいが、これらのシートと補強用線材を可撓性を有するものとし、これにより、シートと補強用線材をパネル本体の外枠に弛緩した状態で取り付け、これにより、シートと補強用線材をたるみをもって配設することが好ましい。
【００１４】
これによると、止水パネルを開口部に配置していない収納時等において、シートや補強用線材が破損や破断等することを防止でき、また、止水パネルを開口部に配置したときには、大雨や洪水等による水圧をシートと補強用線材により余裕をもって受けることができる。
【００１５】
また、本発明に係る止水パネルにおいて、パネル本体の外枠の下部材を、開口部の奥行き方向である外枠の厚さ方向の寸法を有するものとし、この寸法を、下部材が開口部の前記下部の上に載せられることによりパネル本体が自立する寸法とすることが好ましい。
【００１６】
これによると、パネル本体の外枠の下部材を開口部の前記下部の上に載せると、パネル本体は自立するため、止水パネルを開口部に配置するための作業を簡単に行えることになり、この作業を短時間で実施できる。
【００１７】
なお、このようにパネル本体の外枠の下部材を、開口部の奥行き方向である外枠の厚さ方向の寸法を有するものとし、この寸法を、下部材が開口部の前記下部の上に載せられることによりパネル本体が自立する寸法とする場合には、下部材に、外枠の厚さ方向の途中部において少なくとも１個の折り畳み部を設け、この折り畳み部を中心に下部材を折り畳み可能とすることが好ましい。
【００１８】
これによると、本発明に係る止水パネルを開口部に配置していないときに、折り畳み部により下部材を折り畳むことができるため、この下部材における外枠の厚さ方向の寸法を小さくして止水パネルの収納等を有効に行える。
【００１９】
また、本発明に係る止水パネルは、大雨時や洪水発生時等において、任意の開口部の少なくとも一部を塞ぐために用いることができ、その開口部の一例は、室外と室内との境界部に配置されたドア枠の内側に形成されていて、開き戸により開閉される出入口である。
【００２０】
このように本発明に係る止水パネルが、室外と室内との境界部に配置されたドア枠の内側に形成されていて、開き戸により開閉される出入口の少なくとも一部を塞ぐために用いられる場合には、前記開口部の前記左右の側部と前記下部は、ドア枠の左右の側枠部材と下枠部材により形成されていることになる。そして、この場合には、本発明に係る止水パネルの前記外縁防水シール部材を、この外縁防水シール部材の室外側の面を外枠に接触させることによりこの外枠に取り付け、この外縁防水シール部材の室内側の面を、ドア枠の左右の側枠部材と下枠部材とに前記開き戸の全閉位置を規定するために設けられている戸当り部に当接させて、パネル本体を出入口に配置するようにしてもよい。
【００２１】
これによると、止水パネルに室外側から水の圧力が作用すると、外縁防水シール部材の室内側の面を、ドア枠の左右の側枠部材と下枠部材とに開き戸の全閉位置を規定するために設けられている戸当り部に水の圧力で当接させることができ、これにより、止水パネルが室内側に移動することをこれらの戸当り部によって防止することができる。
【００２２】
なお、このように外縁防水シール部材の室内側の面を、ドア枠の左右の側枠部材と下枠部材とに開き戸の全閉位置を規定するために設けられている戸当り部に当接させることは、前述したように、出入口を開閉する扉を閉じることによって行うようにしてもよい。
【００２３】
また、本発明に係る止水パネルにおいて、パネル本体の外枠の上部材と下部材には、左右方向の途中部において少なくとも１個の折り畳み部を設け、この折り畳み部を中心にこれらの上部材と下部材を折り畳み可能としてもよい。
【００２４】
これによると、本発明に係る止水パネルを開口部に配置していないときに、上部材と下部材を折り畳み部により折り畳むことができるため、この折り畳みにより上部材と下部材の左右方向の寸法を小さくして止水パネルの収納等を有効に行える。
【００２５】
また、以上の本発明において、止水パネルは、開口部の全体を塞ぐものでもよく、あるいは、この開口部が出入口である場合には、止水パネルを、この出入口の下端部からこの出入口の高さの途中までの上下寸法を有するものとし、止水パネルにより塞がれる出入口の範囲を、この出入口の下側の部分だけとしてもよい。
【００２６】
後者によると、止水パネルにより出入口の下側の部分が塞がれているときでも、人は止水パネルの上を跨ぐことにより、出入口を通過することができるようになる。
【００２７】
以上説明した本発明に係る止水パネルは、任意の開口部に適用することができ、この開口部は、前述したように、開き戸装置のドア枠の内側に設けられ、開き戸により開閉される出入口でもよく、あるいは、引き戸装置の引き戸により開閉される開口部でもよく、あるいは、常時通過可能となっている通行用開口部でもよい。また、本発明に係る止水パネルは、窓枠の内側に、非通行用として形成されている開口部にも適用することができる。
【発明の効果】
【００２８】
本発明によると、止水パネルを軽量で容易に取り扱うことができるものにできるため、大雨時や洪水発生時等において、出入口等の開口部の少なくとも一部を止水パネルで迅速に塞ぐことができるという効果を得られる。
【図面の簡単な説明】
【００２９】
【図１】図１は、本発明の一実施形態に係る止水パネルが適用される開き戸装置を示す正面図である。
【図２】図２は、図１の開き戸装置の開き戸を開いたときを示す正面図である。
【図３】図３は、図２のときに、止水パネルを開口部となっているドア枠の内側の出入口に配置した状態を示す正面図である。
【図４】図４は、止水パネルの全体を室内側から見た斜視図である。
【図５】図５は、図４のＳ５−Ｓ５線断面図である。
【図６】図６は、図４のＳ６−Ｓ６線断面図である。
【図７】図７は、止水パネルのシートの全体に室外側から水圧が作用したときを示す図４と同様の図である。
【図８】図８は、図３のＳ８−Ｓ８線断面図である。
【図９】図９は、図３のＳ９−Ｓ９線断面図である。
【図１０】図１０は、パネル本体の外枠を形成している上部材と下部材に折り畳み部が設けられている別実施形態の止水パネルを示す図３と同様の図である。
【図１１】図１１は、図１０の止水パネルだけを示す正面図である。
【図１２】図１２は、図１１のＳ１２−Ｓ１２線断面図である。
【図１３】図１３は、図１０の止水パネルにおいて、折り畳み部を折り畳み不能とするためのかんぬき部材が上部材と下部材に対して脱着可能となっていることを示す図１１と同様の図である。
【図１４】図１４は、図１０の止水パネルの平面図である。
【発明を実施するための形態】
【００３０】
以下に本発明を実施するための形態を図面に基づいて説明する。図１には、本発明の一実施形態に係る止水パネルが適用される開き戸装置の全体が示されている。この開き戸装置は、開き戸１をドア枠２にヒンジ３により開閉自在に取り付けたものであり、図２には、開き戸１を開けたときの状態が示されている。室外と室内との境界部になっている玄関等に配置されているドア枠２の内側の出入口４は、開き戸１により開閉される本実施形態における開口部であり、開き戸１を開けて出入口４を通過することにより、人は室外と室内との間を往復する。
【００３１】
ドア枠２は、図１及び図２に示されているように、出入口４の外側を形成している左右の側枠部材５，６と、上下の上枠部材７及び下枠部材８とからなる四方枠であり、左右の側枠部材５，６は、上記開口部の左右の側部を形成する部材となっており、上下の上枠部材７と下枠部材８は、この開口部の上下部を形成する部材となっている。また、下枠部材８により、開口部である出入口４の下端部が形成されている。図２に示されているように、これらの左右の側枠部材５，６と、上下の上枠部材７及び下枠部材８には、閉じたときの開き戸１が当接することにより、この開き戸１の全閉位置を規定するための戸当り部５Ａ，６Ａ，７Ａ，８Ａが設けられ、また、閉じたときの開き戸１とドア枠２との間の気密性を確保するための気密部材９，１０，１１，１２も、これらの枠部材５，６，７，８に設けられている。なお、戸当り部５Ａ，６Ａ，７Ａ，８Ａと気密部材９，１０，１１，１２のうち、左右の側枠部材５，６と下枠部材８に設けられている戸当り部５Ａ，６Ａ，８Ａ及び気密部材９，１０，１２は、後述する図８と図９にも示されている。
【００３２】
図３には、開き戸１を開いているときに、出入口４の下側の部分を本実施形態の止水パネル２０により塞いでいる状態が示されている。図４は、この止水パネル２０を室内側から見た斜視図であり、図５には、図４のＳ５−Ｓ５線断面図が示され、図６には、図４のＳ６−Ｓ６線断面図が示されている。これらの図４〜図６から分かるように、止水パネル２０のパネル本体２１は、左右の側部材２２，２３と、これらの側部材２２，２３の上端部同士を連結している上部材２４と、左右の側部材２２，２３の下端部同士を連結している下部材２５とにより四角枠状に形成された外枠２６を有し、この外枠２６の内側は、図５及び図６で示されている空間部Ｓとなっており、この空間部Ｓは、防水性を有するシート２７により水密に密閉されて遮断されている。
【００３３】
図６に示されているように、左右の側部材２２，２３は、出入口４の奥行き方向である外枠２６の厚さ方向へ延びるベース部２２Ａ，２３Ａと、これらのベース部２２Ａ，２３Ａの一方の端部であって、止水パネル２０を出入口４に配置したときに室外側となる端部から外枠２６の幅方向外側へ延びているフランジ部２２Ｂ，２３Ｂとからなるアングル材で形成されている。また、図５に示されているように、上部材２４は、上下方向が幅方向となっているフラットバーによるものであり、下部材２５は、出入口４の奥行き方向である外枠２６の厚さ方向へ延びるベース部２５Ａと、このベース部２５Ａの一方の端部であって、止水パネル２０を出入口４に配置したときに室外側となる端部から下側へ延びているフランジ部２５Ｂとからなるアングル状の部材となっている。
【００３４】
なお、本実施形態の下部材２５のベース部２５Ａは、フランジ部２５Ｂよりも厚さ寸法が大きくなっている。
【００３５】
外枠２６の内側の空間部Ｓを水密に密閉して遮断しているシート２７は、このシート２７の左右両端部２７Ａ，２７Ｂと上端部２７Ｃと下端部２７Ｄが外枠２６に結合されることにより、この外枠２６に取り付けられている。この取り付けのために、図６に示されているように、外枠２６の左右の側部材２２，２３のベース部２２Ａ，２３Ａには、フラットバーによる押え部材２８，２９が、ベース部２２Ａ，２３Ａの空間部Ｓ側の面において、シート２７の左右両端部２７Ａ，２７Ｂをベース部２２Ａ，２３Ａと共に挟着してビス等の止着具３０で止着されているとともに、図５に示されているように、外枠２６の上材２４には、フラットバーによる押え部材３１が、上部材２４の空間部Ｓ側の面において、シート２７の上端部２７Ｃを上部材２４と共に挟着して止着具３０で止着され、また、外枠２６の下部材２５のベース部２５Ａには、フラットバーによる押え部材３２が、ベース部２５Ａの空間部Ｓ側の面において、言い換えると、ベース部２５Ａの上面において、シート２７の下端部２７Ｄをベース部２５Ａと共に挟着して止着具３０で止着されている。
【００３６】
このような外枠２６へのシート２７の左右両端部２７Ａ，２７Ｂと上端部２７Ｃと下端部２７Ｄの取り付けにより、シート２７は外枠２６に結合され、このシート２７の外枠２６への結合により、シート２７は、外枠２６の内側の空間部Ｓを、この空間部Ｓよりも室内側の箇所において遮断している。
【００３７】
本実施形態に係る止水パネル２０には、図４に示されているように、シート２７の強度を補強するためのワイヤー等による補強用線材３５が設けられている。この補強用線材３５は、シート２７の厚さ方向の両面のうち、室内側の面に接着等で結合され、あるいは、この室内側の面に結合されずに接触した状態で配置されている。図４から分かるように、補強用線材３５には、止水パネル２０の幅方向である左右方向に延びる複数本の横線材３５Ａと、上下方向に延びる複数本の縦線材３５Ｂとがあり、それぞれの横線材３５Ａの両端部は、図６で示した外枠２６の左右の側部材２２，２３のベース部２２Ａ，２３Ａと押え部材２８，２９とにより挟着されているとともに、それぞれの縦線材３５Ｂの両端部は、図５で示した外枠２６の上部材２４、下部材２５のベース部２５Ａと押え部材３１，３２とにより挟着され、これにより、これらの補強用線材３５Ａ，３５Ｂの両端部は外枠２６に結合されている。
【００３８】
以上のシート２７と補強用線材３５は可撓性を有しており、また、これらのシート２７と補強用線材３５は、外枠２６に弛緩した状態で取り付けられており、このため、シート２７と補強用線材３５は、外枠２６にたるみをもって配設されている。したがって、通常時の止水パネル２０では、図４及び図５に示されているように、シート２７と補強用線材３５に下側へのたるみが生じている。これに対して図７には、シート２７の室外側の全面に大雨や洪水等による水圧が作用したときが示されている。
【００３９】
なお、補強用線材３５は、シート２７の内部に予め埋設されているものでもよく、すなわち、シート２７を補強用線材入りのシートとしてもよい。
【００４０】
図６に示されているように、外枠２６の左右の側部材２２，２３のフランジ部２２Ｂ，２３Ｂには、外縁防水シール部材３６，３７が取り付けられ、また、図５に示されているように、外枠２６の下部材２５のフランジ部２５Ｂにも、外縁防水シール部材３８が取り付けられている。一定厚さのフラットバー状となっているこれらの外縁防水シール部材３６，３７，３８は、厚さ方向の両側の面のうち、一方の面となっている室外側の面３６Ａ，３７Ａ，３８Ａがフランジ部２２Ｂ，２３Ｂ，２５Ｂに接触して接着等で取り付けられているため、外縁防水シール部材３６，３７，３８の他方の面は、室内側に向いた面３６Ｂ，３７Ｂ，３８Ｂとなっている。また、外縁防水シール部材３６，３７は、左右の側部材２２，２３のフランジ部２２Ｂ，２３Ｂの上下全長にわたる長さを有し、外縁防水シール部材３８は、下部材２５のフランジ部２５Ｂの左右全長にわたる長さを有する。
【００４１】
なお、外縁防水シール部材３６，３７，３８は、例えば、ＥＰＤＭ（エチレンプロピレンゴム）やＣＲ（クロロプレンゴム）等で形成されている。
【００４２】
また、図５に示されているように、下部材２５のベース部２５Ａには、このベース部２５Ａにおける出入口４の奥行き方向である外枠２６の厚さ方向への長さ寸法を実質的に延長するための延長部材４０が取り付けられている。ベース部２５Ａと同じ厚さ寸法と、ベース部２５Ａと同じ左右の寸法とを有するこの延長部材４０は、ベース部２５Ａにヒンジ４１で取り付けられ、このヒンジ４１は、図６に示されているように、左右方向である止水パネル２０の幅方向に間隔をあけて複数個設けられている。
【００４３】
このため、延長部材４０は、図５の二点鎖線で示されているように、ヒンジ４１により下部材２５のベース部２５Ａに対して折り曲げ可能となっており、このヒンジ４１を中心とする延長部材４０の折り曲げは、ベース部２５Ａに対して水平又は略水平となっている延長部材４０をヒンジ４１を中心に下側へのみ可能とし、上側へは折り曲げ不能するものになっている。
【００４４】
このようなヒンジ４１により、下部材２５のベース部２５Ａには延長部材４０が取り付けているため、延長部材４０がベース部２５Ａに対して水平又は略水平となっているときには、出入口４の奥行き方向である外枠２６の厚さ方向についての下部材２５の長さ寸法は、実質的に充分に大きなものとなっており、延長部材４０を備えて構成されている本実施形態に係る下部材２５は、このような大きな寸法を有するものである。そして、ヒンジ４１が配置されている箇所は、下部材２５についての外枠２６の厚さ方向の途中部における折り畳み部４２となっている。
【００４５】
以上説明した本実施形態に係る止水パネル２０では、パネル本体２１の外縁部分は外枠２６により形成されており、この外枠２６の内側に形成されている空間部Ｓは、補強用線材３５で補強されたシート２７により遮断されたものとなっているため、パネル本体全体を金属や硬質プラスチックの板状部材で形成した場合よりも、シート２７と補強用線材３５を用いている分だけ止水パネル２０の全体重量を軽量化することができ、また、この軽量化により止水パネル２０を容易に取り扱いことができ、このため、大雨時や洪水発生時等において、図３で示したように、ドア枠２の内側の出入口４のうち、下側の部分を止水パネル２０で塞ぐための作業を迅速に行うことができる。
【００４６】
図３で示したように、大雨時や洪水発生時等には、止水パネル２０は、開き戸１を開けたドア枠２の内側の開口部となっている出入口４の下側の部分に配置され、この配置作業は、図３のＳ８−Ｓ８線断面図である図８に示されているように、外枠２６の下部材２５のベース部２５Ａと、このベース部２５Ａに対して水平又は略水平とさせた延長部材４０とを、ドア枠２の下部を形成している前述の下枠部材８の上面８Ｂの上に載せて行い、また、下部材２５のフランジ部２５Ｂに取り付けられている外縁防水シール部材３８の室内側の面３８Ｂを、下枠部材８に設けられている戸当り部８Ａに接触させて行う。このように下部材２５のフランジ部２５Ｂに取り付けられている外縁防水シール部材３８の室内側の面３８Ｂを下枠部材８の戸当り部８Ａに接触させると、図３のＳ９−Ｓ９線断面図である図９に示されているように、外枠２６の左右の側部材２２，２３のフランジ部２２Ｂ，２３Ｂに取り付けられている外縁防水シール部材３６，３７の室内側の面３６Ｂ，３７Ｂは、ドア枠２の左右の側部を形成している前述の左右の側枠部材５，６に設けられた戸当り部５Ａ，６Ａに接触する。
【００４７】
なお、下枠部材８の戸当り部８Ａと、左右の側枠部材５，６の戸当り部５Ａ，６Ａは、前述したように、ドア枠２の内側の出入口４を閉じたときの開き戸１が当たって、この開き戸１の全閉位置を規定するためのものである。
【００４８】
そして、上述したように、本実施形態に係る止水パネル２０をドア枠２の内側の出入口４の下側の部分に配置するために、外枠２６の下部材２５のベース部２５Ａと、このベース部２５Ａに対して水平又は略水平とさせた延長部材４０とを、ドア枠２の下枠部材８の上面８Ｂの上に載せると、出入口４の奥行き方向である外枠２６の厚さ方向についての下部材２５の長さ寸法は、延長部材４０により充分に大きなものとなっているため、止水パネル２０を、出入口４の下端部を形成している下枠部材８の上で自ずと自立させることができる。そして、下部材２５に設けられているヒンジ４１による折り畳み部４２は、前述したように、延長部材４０を下部材２５のベース部２５Ａに対して上側へは折り畳み不能とするものになっているため、止水パネル２０の自立状態を維持させることができる。
【００４９】
このため、止水パネル２０を出入口４の下側の部分に配置するための作業を容易に行うことができる。
【００５０】
止水パネル２０がこのように自立しているときに、止水パネル２０の室外側の面に大雨や洪水等による水圧が作用すると、この水圧により、外枠２６に取り付けられて外縁防水シール部材３６，３７，３８の室内側の面３６Ｂ，３７Ｂ，３８Ｂは、ドア枠２の左右の側枠部材５，６と下枠部材８の戸当り部５Ａ，６Ａ，８Ａに強く当接する。このため、止水パネル２０のうち、パネル本体２１の外縁部分を形成している外枠２６の部分は、ドア枠２に対して水密状態となる。また、外枠２６の内側に形成されている空間部Ｓは、防水シール部材２７により水密に密閉されて遮断されているため、この空間部Ｓは水が漏れない水密箇所となっており、空間部Ｓを水が通過することはシート２７により阻止される。
【００５１】
このため、出入口４のうち、止水パネル２０が配置されている部分において、水が室外から室内に流入することを阻止でき、また、外枠２６に取り付けられて外縁防水シール部材３６，３７，３８がドア枠２の左右の側枠部材５，６と下枠部材８の戸当り部５Ａ，６Ａ，８Ａに当接することにより、止水パネル２０が水圧によって室内側へ移動することも阻止することができる。
【００５２】
さらに、外枠２６の内側の空間部Ｓを遮断しているシート２７は、たるみをもって外枠２６に取り付けられているため、水位の上昇に伴いシート２７は徐々に緊張することになり、言い換えると、シート２７は、余裕をもって水圧を受けることになり、シート２７が水圧で破損等することを防止できる。
【００５３】
また、シート２７の強度は、シート２７と同様にたるみをもって外枠２６に取り付けられている補強用線材３５により補強されており、この補強用線材３５には、左右方向に延びる横線材３５Ａと上下方向に延びる縦線材３５Ｂとがあるため、補強用線材３５の補強作用によりシート２７によって一層有効に水圧を受けることができる。
【００５４】
さらに、止水パネル２０は、出入口４の下端部からこの出入口４の高さの途中までの上下寸法を有していて、出入口４の下側の部分を塞ぐものとなっているため、大雨や洪水発生時等において、出入口４に止水パネル２０を配置しても、止水パネル２０の上を跨ぐことにより、人は出入口４を通過することができる。
【００５５】
また、止水パネル２０のパネル本体２１の外縁部分は外枠２６により形成され、この外枠２６を構成している部材のうち、下部材２５は、延長部材４０により出入口４の奥行き方向である外枠２６の厚さ方向への長さ寸法が大きくなっていて、止水パネル２０を前述したようにドア枠２の下枠部材８の上で自立させることができる大きな長さ寸法が確保されたものとなっているが、下部材２５はヒンジ４１による折り畳み部４２を有しており、このヒンジ４１を中心に延長部材４０が折り畳み可能となっているため、止水パネル２０を出入口４に配置していない収納時等において、止水パネル２０を、外枠２６の厚さ方向の長さ寸法を小さくして収納等することができる。
【００５６】
また、シート２７と補強用線材３５は、前述したようにパネル本体２１の外枠２６にたるみをもって取り付けられているため、止水パネルを収納等しているときに、シート２７と補強用線材３５が外力等により破損、破断等することを防止できる。
【００５７】
図１０は、別実施形態に係る止水パネル１２０を示す。図１１には、この止水パネル１２０の拡大図が示され、図１２は、図１１のＳ１２−Ｓ１２線断面図である。この止水パネル１２０のパネル本体１２１の外縁部分も外枠１２６で形成されており、この外枠１２６は、左右の側部材１２２，１２３と、上部材１２４と、下部材１２５とからなり、外枠１２６の内側の空間部Ｓは、シート１２７で水密に密閉されて遮断されており、また、止水パネル１２０には、シート１２７の強度を補強するための横方向及び縦方向の複数本の補強用線材１３５が設けられている。なお、シート１２７を補強用線材入りのシートとし、補強用線材１３５をシート１２７の内部に埋設されたものとしてもよい。
【００５８】
止水パネル１２０の平面図となっている図１４に示されているように、左右の側部材１２２，１２３には外縁防水シール部材１３６，１３７が取り付けられ、図１２に示されているように、下部材１２５には外縁防水シール部材１３８が取り付けられ、また、図１２に示されているように、下部材１２５における外枠１２６の厚さ方向の寸法は、ヒンジ１４１による折り畳み部１４２によって折り畳み可能となっている延長部材１４０により大きくなっている。
【００５９】
この実施形態の止水パネル１２０では、図１１に示されているように、外枠１２６の上部材１２４と下部材１２５には、左右方向の途中部である中央部において、ヒンジ１５１，１６１による折り畳み部１５２，１６２が設けられている。このため、上部材１２４は、折り畳み部１５２を境界とする左右の分割片１２４Ａ，１２４Ｂからなり、下部材１２５も、折り畳み部１６２を境界とする左右の分割片１２５Ａ，１２５Ｂからなる。なお、上部材１２４は左右の分割片１２４Ａ，１２４Ｂに分割されているため、この上部材１２４に止着具１３０で止着されている図１２の押え部材１３１も、図１４で示されている左右の分割片１３１Ａ，１３１Ｂにより構成されている。また、下部材１２５は左右の分割片１２５Ａ，１２５Ｂに分割されているため、この下部材１２５に止着具１３０で止着されている図１２の押え部材１３２も左右の分割片により構成されているとともに、下部材１２５についての外枠１２６の厚さ方向の寸法を大きくしている延長部材１４０も、図１４に示されているように、左右の分割片１４０Ａ，１４０Ｂにより構成されている。
【００６０】
また、この実施形態の止水パネル１２０には、この止水パネル１２０が出入口４の下側の部分に配置されるときに、上部材１２４の左右の分割片１２４Ａ，１２４Ｂ及び押え部材１３１の左右の分割片１３１Ａ，１３１Ｂを直線状態又は略直線状態に維持させることができる図１０及び図１１の第１直線状維持手段１７０が設けられているとともに、下部材１２５の左右の分割片１２５Ａ，１２５Ｂ、押え部材１３２の左右の分割片及び延長部材１４０の左右の分割片１４０Ａ，１４０Ｂを直線状態又は略直線状態に維持させることができる図１０及び図１１の第２直線状維持手段１８０も設けられている。
【００６１】
第１直線状維持手段１７０は、図１２及び図１３から分かるように、上部材１２４の折り畳み部１５２を越えて上部材１２４の長さ方向へ延びる長さ寸法を有するかんぬき部材１７１と、上部材１２４の左右の分割片１２４Ａ，１２４Ｂごとに設けられ、上から落とし込まれるかんぬき部材１７１を受けるための受け部材１７２とを有するものになっている。第２直線状維持手段１８０も、下部材１２５の折り畳み部１６２を越えて下部材１２５の長さ方向へ延びる長さ寸法を有するかんぬき部材１８１と、下部材１２５の左右の分割片１２５Ａ，１２５Ｂごとに設けられ、上から落とし込まれるかんぬき部材１８１を受けるための受け部材１８２とを有するものになっている。
【００６２】
このため、それぞれのかんぬき部材１７１，１８１は、上下させることにより外枠１２６に着脱させることができるものであり、かんぬき部材１７１，１８１を受け部材１７２，１８２に上から落とし込むことにより、かんぬき部材１７１により、上部材１２４の左右の分割片１２４Ａ，１２４Ｂ及び押え部材１３１の左右の分割片１３１Ａ，１３１Ｂを直線状態又は略直線状態に維持させることができ、また、かんぬき部材１８１により、下部材１２５の左右の分割片１２５Ａ，１２５Ｂ、押え部材１３２の左右の分割片及び延長部材１４０の左右の分割片１４０Ａ，１４０Ｂを直線状態又は略直線状態に維持させることができる。
【００６３】
このようにかんぬき部材１７１，１８１により上部材１２４の左右の分割片１２４Ａ，１２４Ｂや下部材１２５の左右の分割片１２５Ａ，１２５Ｂ等を直線状態又は略直線状態に維持させることは、図１０に示されているように、大雨や洪水による水が出入口４を室外側から室内側に通過しないようにするために、止水パネル１２０を出入口４の下側の部分に配置する際に行う。
【００６４】
この実施形態に係る止水パネル１２０によると、止水パネル１２０を収納等するときには、かんぬき部材１７１，１８１を受け部材１７２，１８２から抜き取ることにより、図１４の二点鎖線で示されているように、パネル本体１２１の外枠１２６を構成している上部材１２４や下部材１２５等を折り畳み部１５１，１６２を中心に折り畳むことができ、この折り畳みにより、止水パネル１２０の収納等を止水パネル１２０を小型化して有効に行える。
【００６５】
なお、この実施形態の止水パネル１２０でも、シート１２７と補強用線材１３５は可撓性を有しているため、図１４で示す折り畳みを、シート１２７と補強用線材１３５に影響されずに有効に行える。
【産業上の利用可能性】
【００６６】
本発明は、大雨時や洪水発生時等において、例えば、開き戸や引き戸等で開閉される出入口等の開口部を水が通過することを阻止するために利用することができる。
【符号の説明】
【００６７】
１  開き戸
２  ドア枠
４  開口部である出入口
５，６  開口部の左右の側部である側枠部材
５Ａ，６Ａ  戸当り部
７  開口部の上部である上枠部材
７Ａ  戸当り部
８  開口部の下部である下枠部材
８Ａ  戸当り部
２０，１２０  止水パネル
２１，１２１  パネル本体
２２，２３，１２２，１２３  側部材
２４，１２４  上部材
２５，１２５  下部材
２６，１２６  外枠
２７，１２７  シート
３５，１３５  補強用線材
３５Ａ  横線材
３５Ｂ  縦線材
３６，３７，３８，１３６，１３７，１３８  外縁防水シール部材
３６Ａ，３７Ａ，３８Ａ  室外側の面
３６Ｂ，３７Ｂ，３８Ｂ  室内側の面
４０，１４０  延長部材
４１，１４１，１５１，１６１  ヒンジ
４２，１４２，１５２，１６２  折り畳み部
Ｓ  空間部
【図１】
2019127764.tif 000003
【図２】
2019127764.tif 000004
【図３】
2019127764.tif 000005
【図４】
2019127764.tif 000006
【図５】
2019127764.tif 000007
【図６】
2019127764.tif 000008
【図７】
2019127764.tif 000009
【図８】
2019127764.tif 000010
【図９】
2019127764.tif 000011
【図１０】
2019127764.tif 000012
【図１１】
2019127764.tif 000013
【図１２】
2019127764.tif 000014
【図１３】
2019127764.tif 000015
【図１４】
2019127764.tif 000016